(57)【要約】【課題】  おむつの交換作業をスムーズに行なうことのできる育児器具の座席を提供する。【解決手段】  育児器具の座席１は、座席に着座した乳幼児の両太腿の間を延びる股ベルト２と、乳幼児の腰を拘束する腰ベルト４，５と、股ベルト２の上端部と腰ベルト４，５とを連結する連結具３，８，９とを備える。股ベルト２は、連結具３を支持する上方部分２ａと、座面に連結される下方部分２ｂと、上方部分２ａと下方部分２ｂとを分離可能に接続する接続手段１０とを含む。【選択図】      図２
2005138742.tif 000002
【特許請求の範囲】
【請求項１】
座席に着座した乳幼児の両太腿の間を延びる股ベルトと、
乳幼児の腰を拘束する腰ベルトと、
前記股ベルトの上端部と、前記腰ベルトとを連結する連結具とを備え、
前記股ベルトは、前記連結具を支持する上方部分と、座面に連結される下方部分と、前記上方部分と前記下方部分とを分離可能に接続する接続手段とを含む、育児器具の座席。
【請求項２】
前記腰ベルトは左右の腰ベルト部を含み、
前記連結具は、前記股ベルトの上端に取付けられた受入具と、前記左右の腰ベルト部の先端に取付けられた差込具とを含み、
前記差込具は前記受入具に取り外し可能に連結される、請求項１に記載の育児器具の座席。
【請求項３】
左右の肩ベルト部をさらに備え、
前記左右の肩ベルト部は、それぞれ、前記左右の腰ベルト部に連結されている、請求項２に記載の育児器具の座席。
【請求項４】
前記接続手段はスライドファスナを含む、請求項１〜３のいずれかに記載の育児器具の座席。
【発明の詳細な説明】
【技術分野】
【０００１】
この発明は、育児器具の座席に関し、特に座席に着座した乳幼児の身体を拘束する身体拘束ベルトを備えた育児器具の座席に関するものである。
【背景技術】
【０００２】
身体拘束ベルトを備えた育児器具として、チャイルドシート、乳母車、育児椅子等がある。そのような育児器具の一例が特開２００３−４０００５号公報（特許文献１）に開示されている。
【０００３】
特開２００３−４０００５号公報は、身体拘束ベルトを備えたチャイルドシートを開示している。身体拘束ベルトは、股ベルトと、一対の腰ベルトと、一対の肩ベルトとを含む。左右の腰ベルトと左右の肩ベルトとは、それぞれ、連続した共通のベルトによって形成されている。左右の腰ベルトの先端にはそれぞれタングプレートが取付けられ、股ベルトの上端にはタングプレートを受け入れて連結するバックルが取付けられている。
【０００４】
バックルと左右のタングプレートとは取り外し可能に連結されるものであり、これらを連結することによって股ベルトと、一対の腰ベルトと、一対の肩ベルトとで座席内の乳幼児の身体を拘束する。
【特許文献１】特開２００３−４０００５号公報
【発明の開示】
【発明が解決しようとする課題】
【０００５】
上記公報に開示されたような育児器具の座席においては、座席内の乳幼児のおむつを交換しようとする場合、バックルと一対のタングプレートとの連結を外し、股ベルト、一対の腰ベルトおよび一対の肩ベルトによる拘束を解く。身体の拘束を解かれた乳幼児は座席内であばれることがあるので、おむつの交換作業がやりにくくなる。また、おむつの交換作業時には、座席内の乳幼児の拘束が解かれているので、安全上好ましくない。
【０００６】
この発明の目的は、おむつの交換作業をスムーズに行なうことのできる育児器具の座席を提供することである。
【０００７】
この発明の他の目的は、おむつの交換作業時においても乳幼児の身体をある程度拘束することのできる育児器具の座席を提供することである。
【課題を解決するための手段】
【０００８】
この発明に従った育児器具の座席は、座席に着座した乳幼児の両太腿の間を延びる股ベルトと、乳幼児の腰を拘束する腰ベルトと、股ベルトの上端部と腰ベルトとを連結する連結具とを備える。股ベルトは、連結具を支持する上方部分と、座面に連結される下方部分と、上方部分と下方部分とを分離可能に接続する接続手段とを含む。
【０００９】
上記構成の本発明によれば、股ベルトの上方部分と下方部分とを分離すればおむつの交換作業を行なうことができる。この際に、連結具による腰ベルトの連結状態を維持しておけば、腰ベルトによって乳幼児の身体をある程度拘束することができるので、乳幼児が座席内であばれるのをある程度抑制できる。したがって、おむつの交換作業をスムーズに行なうことができる。さらに、おむつ交換時においても乳幼児の身体を腰ベルトによって拘束しているので、安全上好ましくなる。
【００１０】
一つの実施形態では、腰ベルトは左右の腰ベルト部を含む。連結具は、股ベルトの上端に取付けられた受入具と、左右の腰ベルト部の先端に取付けられた差込具とを含む。差込具は受入具に取り外し可能に連結される。
【００１１】
育児器具の座席は、左右の肩ベルト部をさらに備えていてもよい。この場合、例えば、左右の肩ベルト部は、それぞれ、左右の腰ベルト部に連結されている。
【００１２】
股ベルトの上方部分と下方部分とを分離可能に接続する接続手段としては、種々のものが考えられる。その一例は、スライドファスナである。
【発明を実施するための最良の形態】
【００１３】
図１および図２は、この発明の一実施形態である育児器具の座席１を示している。図示する座席１を備える育児器具として、チャイルドシート、乳母車、育児椅子等を挙げることができる。座席１は、椅子状の形態のものであってもよく、ベッド状の形態のものであってもよい。あるいは、座席１は、椅子状の形態とベッド状の形態とに切換え可能なものであってもよい。
【００１４】
図示するように、座席１は、乳幼児の身体を拘束する身体拘束ベルトを備えている。身体拘束ベルトは、座席に着座した乳幼児の両太腿の間を延びる股ベルト２と、乳幼児の腰を拘束する腰ベルト４，５と、乳幼児の肩を拘束する肩ベルト６，７と、股ベルト２の上端部と腰ベルト４，５とを連結する連結具３，８，９とを備える。
【００１５】
腰ベルトは、左腰ベルト部４と、右腰ベルト部５とを含む。肩ベルトは、左肩ベルト部６と、右肩ベルト部７とを含む。左腰ベルト部４と左肩ベルト部６とは、連続した共通のベルトによって形成されている。同様に、右腰ベルト部５と右肩ベルト部７とは連続した共通のベルトによって形成されている。
【００１６】
股ベルト２と腰ベルト４，５とを連結する連結具は、股ベルト２の上端に取付けられた受入具３と、左右の腰ベルト部４，５の先端に取付けられた差込具８，９とを含む。左差込具８は、左腰ベルト部４および左肩ベルト部６を形成するベルトを挿通させる環を有している。同様に、右差込具９は、右腰ベルト部５および右肩ベルト部７を形成するベルトを挿通させる環を有している。左右の差込具８，９は、受入具３に取り外し可能に連結される。
【００１７】
股ベルト２は、受入具３を支持する上方部分２ａと、座面に連結される下方部分２ｂと、上方部分２ａと下方部分２ｂとを分離可能に接続する接続手段１０とを含む。図示した実施形態では、接続手段はスライドファスナ１０であるが、他の構造のものを採用することもできる。
【００１８】
乳幼児を座席１から降ろすときや、乳幼児を座席１内に乗せるとき、左右の差込具８，９を受入具３から引き離し、股ベルト２と腰ベルト部４，５（肩ベルト部６，７も同様）との連結を解く。
【００１９】
おむつを交換する場合には、股ベルト２の上方部分２ａと下方部分２ｂとを分離する。この際に、受入具３と左右の差込具８，９との連結状態を維持しておく。股ベルト２の上方部分２ａと下方部分２ｂとを分離することによって、乳幼児の下半身はフリーな状態になるので、おむつの交換を行なうことが可能になる。おむつ交換時に乳幼児の上半身は腰ベルト４，５および肩ベルト６，７によって拘束されているので、座席内で乳幼児があばれるのをある程度抑制することができる。また、おむつ交換時においても乳幼児の身体を腰ベルト４，５および肩ベルト６，７によって拘束しているので、安全上好ましい。
【００２０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。そのいくつかを以下に例示的に列挙して説明する。
【００２１】
図示した実施形態における身体拘束ベルトは、肩ベルトを含むいわゆる５点式ベルトである。他の実施形態として、肩ベルトを含まない３点式ベルトであってもよい。
【００２２】
また、図示した実施形態では、腰ベルトと股ベルトとを、差込具と受入具とからなる連結具によって取り外し可能に連結していたが、他の実施形態として、股ベルトの上方端部にループを形成し、腰ベルトをループに通すようにしてもよい。この場合、例えば、左右の腰ベルト部をバックルを介して取り外し可能に連結するようにしてもよい。
【産業上の利用可能性】
【００２３】
この発明は、身体拘束ベルトを備えた育児器具の座席に有利に適用され得る。
【図面の簡単な説明】
【００２４】
【図１】この発明の一実施形態である育児器具の座席を示す平面図である。
【図２】股ベルトの上方部分と下方部分とを分離させた状態を示す平面図である。
【符号の説明】
【００２５】
１  育児器具の座席、２  股ベルト、２ａ  上方部分、２ｂ  下方部分、３  受入具、４  左腰ベルト部、５  右腰ベルト部、６  左肩ベルト部、７  右肩ベルト部、８  左差込具、９  右差込具、１０  スライドファスナ。
【図１】
2005138742.tif 000003
【図２】
2005138742.tif 000004